(57)【要約】      （修正有）【課題】外観上の美観を損なわない錆防止塗装代用の自動販売機用転倒防止板を提供する。【解決手段】自動販売機の脚を係止するための固定金具用の取付け孔４ａを、少なくとも先端部側と後端部側にそれぞれ有する鉄製の長尺状ベース板１と、この長尺状ベース板１の裏面１ａに裏面１ａの全体をカバーするように粘着層又は接着層のいずれかを介して一体的に設けられた長尺状下面シート２と、一方、長尺状ベース板１の上面１ａ及び側周面１ｃの全体をカバーするように粘着層又は接着層のいずれかを介して一体的に設けられた長尺状上面シート３とから成る。【選択図】図８
0003198923.tif 000002
【実用新案登録請求の範囲】
【請求項１】
自動販売機の脚を係止するための固定金具用の取付け孔を、少なくとも先端部側と後端部側にそれぞれ有する鉄製の長尺状ベース板と、この長尺状ベース板の裏面に該裏面の全体をカバーするように粘着層又は接着層のいずれかを介して一体的に設けられた長尺状下面シートと、一方、前記長尺状ベース板の上面及び側周面の全体をカバーするように粘着層又は接着層のいずれかを介して一体的に設けられた長尺状上面シートとから成る錆防止塗装代用の自動販売機用転倒防止板。
【請求項２】
請求項１に於いて、長尺状上面シートの周端部は、長尺状ベース板の側周面を巻き込むようにして該長尺状ベース板の裏面の周端面部分に至るまで貼り付けられていることを特徴とする錆防止塗装代用の自動販売機用転倒防止板。
【請求項３】
請求項１に於いて、鉄製の長尺状ベース板は、未使用又は使用済のいずれかであることを特徴とする錆防止塗装代用の自動販売機用転倒防止板。
【請求項４】
請求項１に於いて、長尺状上面シートには、文字、図形、模様、若しくはこれらと色彩が結合した図柄の少なくとも一つ以上が施されていることを特徴とする錆防止塗装代用の自動販売機用転倒防止板。  
【請求項５】
自動販売機の脚を係止するための固定金具用の取付け孔を、少なくとも先端部側と後端部側にそれぞれ有する鉄製の長尺状ベース板と、この長尺状ベース板の上面に該上面の全体をカバーするように粘着層又は接着層のいずれかを介して一体的に設けられた長尺状上面シートと、一方、前記長尺状ベース板の下面及び側周面の全体をカバーするように粘着層又は接着層のいずれかを介して一体的に設けられた長尺状下面シートとから成る錆防止塗装代用の自動販売機用転倒防止板。
【考案の詳細な説明】
【技術分野】
【０００１】
本考案は、錆防止塗装代用の自動販売機用転倒防止板に関する。
【背景技術】
【０００２】
特許文献１の図６には、自動販売機用転倒防止板の一例が開示されている。この種の自動販売機用転倒防止板は、普通一般に長尺状の鉄板であり、少なくとも先端部側と後端部側に自動販売機の脚を係止するための固定金具用の取付け孔が設けられている（特許文献１、特許文献２参照）。
【先行技術文献】
【特許文献】
【０００３】
【特許文献１】実用新案登録第３０７０１６７号公報
【特許文献２】実用新案登録第３１４４０２８号公報
【考案の開示】
【考案が解決しようとする課題】
【０００４】
自動販売機用転倒防止板の材質は、例えば鉄製なので、錆びやすい。そこで、その表面全体に塗装膜を施している。しかしながら、塗装膜を施しても、外傷・塗装の劣化から、鉄素地がむき出しなり、錆等により外観が損なわれるという問題点があった。また、床面等に一度設置した自動販売機用転倒防止板を再利用する場合に於いて、綺麗にするめたに、清掃工程、錆剥離工程、下地処理工程、固定金具用のネジ再加工等の多くの工程が必要であるが、さらにそれらの工程に塗装を施す工程を加味すると、塗装専用ブース（仕切り小屋）、塗料やその保管等が必要であると共に、塗装による環境問題や廃材処理に対応しなければならないという問題点もあった。
【０００５】
そこで、本考案の主たる目的は、塗装膜を施すことから生ずる外傷・塗装の劣化、塗装専用ブースの確保、塗料やその保管、廃材処理の対応等の問題点を一挙に解決すると共に、外観上の美観を損なわない錆防止塗装代用の自動販売機用転倒防止板を提供することである。次に、製作の際、その作業の効率化を図ると共に、素材としての被覆用シートの切れ端を極力少なくし、よって、ローコスト化を図ることができる錆防止塗装代用の自動販売機用転倒防止板を提供することである。更に、長期間使用しても、長尺状上面シートの周端部が長尺状ベース板から容易に剥がれないこと、外観上、商標や意匠の効果を発揮することができること等の効果を得ることができる錆防止塗装代用の自動販売機用転倒防止板を提供することである。
【課題を解決するための手段】
【０００６】
本考案の錆防止塗装代用の自動販売機用転倒防止板は、自動販売機の脚を係止するための固定金具用の取付け孔を、少なくとも先端部側と後端部側にそれぞれ有する鉄製の長尺状ベース板と、この長尺状ベース板の裏面に該裏面の全体をカバーするように粘着層又は接着層のいずれかを介して一体的に設けられた長尺状下面シートと、一方、前記長尺状ベース板の上面及び側周面の全体をカバーするように粘着層又は接着層のいずれかを介して一体的に設けられた長尺状上面シートとから成ることを特徴とする（独立の請求項１）。
【０００７】
上記構成に於いて、長尺状上面シートの周端部は、長尺状ベース板の側周面を巻き込むようにして該長尺状ベース板の裏面の周端面部分に至るまで貼り付けられていることが好ましい。このように構成すると、使用の際、床面に自動販売機用転倒防止板を載置すると、長尺状上面シートの裏面の周端部が前記床面に押え付けられる状態になるので、長期間使用しても、前記周端部が長尺状ベース板の裏面から離れることがない。また鉄製の長尺状ベース板は、使用済みで、かつ綺麗にした後再利用されるものであることが好ましい。このように構成すると、塗装や塗装ブースが不要であると共に、塗装による環境問題や廃材処理に対応しなければならないという問題点を解消することができる。
【０００８】
また本考案の錆防止塗装代用の自動販売機用転倒防止板は、自動販売機の脚を係止するための固定金具用の取付け孔を、少なくとも先端部側と後端部側にそれぞれ有する鉄製の長尺状ベース板と、この長尺状ベース板の上面に該上面の全体をカバーするように粘着層又は接着層のいずれかを介して一体的に設けられた長尺状上面シートと、一方、前記長尺状ベース板の下面及び側周面の全体をカバーするように粘着層又は接着層のいずれかを介して一体的に設けられた長尺状下面シートとから成ることを特徴とする（独立の請求項５）。
【０００９】
上記の各独立の請求項に於いて、長尺状上面シートには、文字、図形、模様、若しくはこれらと色彩が結合した図柄の少なくとも一つ以上が施されている実施形態の場合には、外観上、商標や意匠の効果を発揮することができる。
【考案の効果】
【００１０】
独立の請求項に記載の考案は、基本的には、長尺状ベース板と、該長尺状ベース板の表面を全体的に包む長尺状下面シート及び長尺状上面シートの３つの要素から構成されているので、塗装膜を施すことから生ずる外傷・塗装の劣化、塗装専用ブースの確保、塗料やその保管、廃材処理の対応等の問題点を一挙に解決すると共に、外観上の美観を損なわない錆防止塗装代用の自動販売機用転倒防止板を提供することができる。また、包装紙の如く、左右・上下に幅広い一枚のシートを使用せず、長尺状ベース板（例えば長方形状に裁断された鉄板）の形状に対応すると共に、一側面に粘着層或いは接着層を有する長尺状下面シート及び長尺状上面シートを使用するので、製作の際、長尺状下面シート及び長尺状上面シートを長尺状ベース板の一側面に容易に貼り付け、その状態で前記長尺状下面シート及び長尺状上面シートの長尺状ベース板から食み出た余計な周端部のみを切断するから、貼付け作業の効率化を図ると共に、素材としての被覆用シートの切れ端を極力少なくし、よって、ローコスト化を図ることができる錆防止塗装代用の自動販売機用転倒防止板を提供することができる。なお、錆防止塗装代用の自動販売機用転倒防止板を構成する長尺状ベース板は、「新品」か、それとも「使用済み」か特に問わないが、綺麗にした後、再利用するのが好ましい。
【図面の簡単な説明】
【００１１】
図１乃至図９は本考案の一実施形態を示す各説明図。
【図１】本考案の一実施形態の斜視図。
【図２】長尺状ベース板１、周端部を切断する前の長尺状下面シート２及び長尺状上面シート３の周端部の一部を切断する前の長尺状上面シート３の斜視からの説明図。
【図３】矩形状の周端部２ｂを切断する前の長尺状下面シート２の上面を長尺状ベース板１の下面１ａを貼り付けた状態の斜視からの説明図。
【図４】図３に於いて、カッターで長尺状下面シートの余分な周端部を切断する説明図。
【図５】図４の５−５線における概略拡大断面説明図（一部省略）。
【図６】（ａ）は長尺状上面シートの内面を長尺状ベース板の上面に貼り付け状態の斜視からの説明図。（ｂ）は前記（ａ）をひっくり返し、長尺状上面シートの「のり代（折り曲げ部分）」となる周端部が長尺状ベース板の上面からはみ出している旨の説明図。
【図７】（ａ）は長尺状ベース板の裏面の一部と、長尺状上面シートの周端部の一部が長尺状ベース板の上面からはみ出している旨を示した概略拡大説明図。（ｂ）は前記（ａ）に於いて、長尺状ベース板の裏面の周縁を超える長尺状上面シートの周端部の適宜箇所に目印を付した概略拡大説明図。（ｃ）は前記（ｂ）に於いて、カッターで目印を沿って長尺状上面シートの周端部の余分な部分を切断する概略拡大説明図。（ｄ）は前記（ｃ）の後、長尺状上面シートの周端部の残った部分を長尺状ベース板の側周面を巻き込むようにして該長尺状ベース板に貼り付ける概略拡大説明図。
【図８】長尺状上面シートを長尺状ベース板に一体的に設けた概略断面説明図。
【図９】本考案の一実施形態と、該一実施形態に使用される固定金具、固着具、自動販売機用脚の説明図。
【考案を実施するための最良の形態】
【００１２】
以下、図面を参照にして、本考案の実施形態を説明する。公然実施によって周知であるが、図示しない自動販売機は、所要間隔を有して略水平状態に設置された左右一対の鉄製の転倒防止板と、これらの鉄製転倒防止板の先端部側と後端部側にそれぞれ形成された取付け孔の位置に配設され、かつ前記自動販売機の複数本の脚１１をそれぞれ係止する複数の金属製固定金具１２（図９参照）と、該金属製固定金具を、前記取付け孔を介して鉄製転倒防止板の上面に固定する複数のボルト１３ａとナット１３ｂとから成る転倒防止装置により保持されている。
【００１３】
まず図１乃至図９を参照にして、本考案の一実施形態を説明する。各図に於いて、Ｘは錆防止塗装代用の自動販売機用転倒防止板である。この錆防止塗装代用の自動販売機用転倒防止板Ｘは、基本的には、鉄製の長尺状ベース板１と、該長尺状ベース板の表面を全体的に包む長尺状下面シート２及び長尺状上面シート３の「３つの要素」から構成されている。
【００１４】
前記長尺状ベース板１は、実施形態では、例えば自動販売機の底面の大きさを考慮して所定長の長方形状に形成された鉄板である。前記長尺状ベース板１は、自動販売機の据付基準に基づき、その長さ・形状・厚さ等が適宜に決められているが、該長尺状ベース板１が鉄板である場合には、据付後に風雨に晒されると錆びる。
【００１５】
そこで、本考案は、「考案が解決しようとする課題」で述べたように、錆防止塗装代用の自動販売機用転倒防止板Ｘを提供するものである。この錆防止塗装代用の自動販売機用転倒防止板Ｘの特徴は、図８で示すように、自動販売機の脚１１を係止するための金属製の固定金具用取付け孔を、少なくとも先端部側と後端部側にそれぞれ有する鉄製の長尺状ベース板１と、この長尺状ベース板の裏面１ａに該裏面の全体をカバーするように粘着層を介して一体的に設けられた長尺状下面シート２と、一方、前記長尺状ベース板の上面１ｂ及び側周面１ｃの全体をカバーするように粘着層を介して一体的に設けられた長尺状上面シート３から成る。
【００１６】
しかして、長尺状上面シート３の平面部３ａに連続する折り返し周端部３ｂは、前記長尺状ベース板１の側周面１ｃを巻き込むようにして該長尺状ベース板１の裏面１ａの周端面部分に至るまで貼り付けられている。また、特に図示しないが、長尺状上面シート１には、商標の識別機能や意匠の美的効果を発揮することができるように、文字、図形、模様、若しくはこれらと色彩が結合した図柄の少なくとも一つ以上が施されている。  
【００１７】
ここでの長尺状下面シート２及び長尺状上面シート３は、それぞれ一側面に粘着層（接着層も含まれる）を有し、かつ長尺状ベース板１を下面と上面で、いわばサンドイッチ状態で全体的に包むフイルム部材であるから、長尺状ベース板１は「被着板体」であり、一方、長尺状下面シート２及び長尺状上面シート３は「貼付けカバー体」或いは「ステッカー体」という概念に相当する。いずれの用語を用いるにしても、長尺状下面シート２及び長尺状上面シート３は、例えばポリ塩化ビニル、シリコーン樹脂、エポキシ樹脂、塩化ビニル樹脂、オレフィン樹脂、天然ゴム、ラテックス等の弾性のフイルム部材であり、該弾性のフイルム部材の一側面に、例えばアクリル系の粘着剤或いは接着剤がコートされている。
【００１８】
以下、図１又は図８で示す錆防止塗装代用の自動販売機用転倒防止板Ｘを得る工程を、図２乃至図８を参照にして説明する。まず図２は、長尺状ベース板１、平面部２ａに連続する周端部２ｂを切断する前の長尺状下面シート２及び長尺状上面シート３の平面部３ａに連続する周端部３ｂの一部を切断する前の長尺状上面シート３の斜視からの説明図である。
【００１９】
図２を基準にすると、長尺状ベース板１は、先端部に水平長孔４ａ、一方、後端部に「くの字」形状の水平長孔４ｂをそれぞれ有している。前記水平長孔４ａ、４ｂは、前述した自動販売機の複数本の脚１１をそれぞれ係止する複数の金属製固定金具１２（図９参照）を固着具（ボルト１３ａとナット１３ｂ）でもって自動販売機用転倒防止板Ｘの上面に取付けるための取付け孔である。なお、前記取付け孔４ａ、４ｂは、実施形態に限定するものではなく、複数の取付け孔を列状態に形成しても良い（例えば特許文献１：実用新案登録第３０７０１６７号に記載の考案）。
【００２０】
次に、図３は矩形状の周端部２ｂを切断する前の長尺状下面シート２の上面を長尺状ベース板１の下面１ａを貼り付けた状態である。実施形態では、長尺状下面シート２の上面の粘着層に長尺状ベース板１を載置した説明図でもある。次に、図４は図３に於いて、カッター１５で長尺状下面シート２の余分な矩形状周端部（仮想線部分）２ｂを切断する説明図である。余分な矩形状周端部２ｂは、カッター１５切り落とすことから、長尺状下面シート２は、その周端部２ｂが長尺状ベース板１の先端、後端及び左右端から若干食み出る大きさに裁断されている。長尺状下面シート２は、余分な矩形状周端部２ｂが切り落とされると、実線で示した如く、略長方形状開口６を有する切屑片２Ａと成る。図５は図４の５−５線における概略拡大断面説明図（一部省略）である。長尺状ベース板１の裏面１ａの全体は長尺状下面シート２に粘着層を介して一体的にカバーされることから、水平長孔４ａ（４ｂも同様）の下方は塞がれる。
【００２１】
次に、図６の（ａ）は長尺状上面シート３の内面を仮想線で示す長尺状ベース板１の上面に貼り付け状態の斜視からの説明図。（ｂ）は前記（ａ）の長尺状上面シート３と長尺状ベース板１をひっくり返し、長尺状上面シート３の平面部３ａに連続する「のり代（折り曲げ部分）」となる周端部３ｂが長尺状ベース板１の上面から食み出している旨の説明図である。付言すると、該（ｂ）の図では、長尺状ベース板１の裏面１ａと、長尺状ベース板１の上面からやや大きく矩形状に食み出している長尺状上面シート３の周端部３ｂが見えている。長尺状上面シート３の周端部３ｂの食み出す態様は、図４で示した長尺状下面シート２の余分な矩形状周端部２ｂの食み出す態様よりも大きく設定されている。それは、一実施形態では、長尺状上面シート３の周端部３ｂは、長尺状ベース板１の側周面１ｃを巻き込むようにして該長尺状ベース板１の裏面１ａの周端面部分に至るまで貼り付けられるからである。
【００２２】
そこで、図７の（ｃ）乃至（ｄ）を参照にして、長尺状上面シート３の貼付け態様をさらに説明する。図７の（ａ）は、長尺状ベース板１の裏面１ａの一部と、長尺状上面シート３の周端部３ｂの一部が長尺状ベース板１の上面からはみ出している旨を示した概略拡大説明図、（ｂ）は前記（ａ）に於いて、長尺状ベース板１の裏面１ａの周縁を超える長尺状上面シート３の平面部３ａに連続する周端部３ｂの適宜箇所に目印Ｍを付した概略拡大説明図、（ｃ）は前記（ｂ）に於いて、カッター１５で目印Ｍを沿って長尺状上面シート３の周端部３ｂの余分な部分を切断する概略拡大説明図、そして、（ｄ）は前記（ｃ）の後、長尺状上面シート３の周端部３ｂの残った部分を長尺状ベース板１の側周面３ｃを巻き込むようにして該長尺状ベース板１に貼り付ける概略拡大説明図である。したがって、長尺状ベース板１の上面（表面）１ｂの全体は長尺状上面シート３に粘着層を介して一体的にカバーされることから、水平長孔４ａ（４ｂも同様）の上方は塞がれる。
【００２３】
ところで、特に図示しないが、長尺状ベース板１の上面（表面）１ｂ又は裏面１ａに対する長尺状下面シート２及び長尺状上面シート３の貼付け態様を逆にすることもできる。このような実施形態の場合には、長尺状上面シート３は、長尺状ベース板１の上面（表面）１ｂに該上面の全体をカバーするように粘着層を介して一体的に設けられ、一方、長尺状下面シート２は前記長尺状ベース板１の下面１ａ及び側周面１ｃの全体をカバーするように粘着層を介して一体的に設けられる。このように構成しても、本考案の主たる課題を達成することができる。また、長尺状ベース板１の上面（表面）１ｂに長尺状上面シート３を貼付けた後、前記長尺状ベース板１の裏面１ａに長尺状下面シート２を張付けても良い。さらに、長尺状ベース板１の取付け孔４ａ、４ｂの形状は特に問わない。さらに、使用の際、長尺状下面シート２及び長尺状上面シート３の取付け孔４ａ、４ｂをカバーする部位を適宜に開口する。
【産業上の利用可能性】
【００２４】
本考案は、錆防止塗装代用の自動販売機用転倒防止板として用いられる。
【符号の説明】
【００２５】
Ｘ…錆防止塗装代用の自動販売機用転倒防止板、
１…長尺状ベース板、
１ａ…下面（裏面）、１ｂ…上面（表面）  、１ｃ…側周面、
２…長尺状下面シート、２ａ…平面部、２ｂ…周端部、
３…長尺状上面シート、３ａ…平面部、３ｂ…折り返し周端部、
４ａ、４ｂ…取付け孔、
１１…脚、
１２…金属製の固定金具、
１３ａ…ボルト、１３ｂ…ナット、
１５…カッター。
【図１】
0003198923.tif 000003
【図２】
0003198923.tif 000004
【図３】
0003198923.tif 000005
【図４】
0003198923.tif 000006
【図５】
0003198923.tif 000007
【図６】
0003198923.tif 000008
【図７】
0003198923.tif 000009
【図８】
0003198923.tif 000010
【図９】
0003198923.tif 000011